(57)【要約】【課題】オスメスのネジ嵌め合いによる回転締め付けを行うことなく、同軸型伝送線路の着脱を容易に実行できる接続構造体を提供する。【解決手段】筐体内に収納された平面回路と同軸型伝送線路との接続構造において、平面回路の信号伝送線路の端部に前記信号伝送線路と導通固定され前記同軸型伝送線路の中心導体が着脱可能に挿入される導電部材を配設し、同軸型伝送線路の外部導体と導通するフランジを筐体にネジ組立する構成としたことにより、着脱が容易で耐久性に富み、安価な接続構造体を提供できる。【選択図】図１
2012109651.tif 000002
【特許請求の範囲】
【請求項１】
筐体内に収納された平面回路と同軸型伝送線路との接続構造において、平面回路の信号伝送線路の端部に前記信号伝送線路と導通固定され前記同軸型伝送線路の中心導体が着脱可能に挿入される導電部材を配設し、同軸型伝送線路の外部導体と導通するフランジを平面回路のグランドと導通した筐体にネジ組立する構成とした接続構造体。
【請求項２】
導電部材は、平板部と中空形状部とを有し、中空形状部は平板を丸めて中空形状に加工した請求項１に記載の接続構造体。
【請求項３】
導電部材に挿入される同軸型伝送線路の中心導体の一部は平面回路の信号伝送線路上に存在するように導電部材を平面回路に導通固定した請求項１に記載の接続構造体。
【請求項４】
筐体内に収納された平面回路と同軸型伝送線路との接続構造において、平面回路の信号伝送線路に導電接続され前記同軸型伝送線路の中心導体が着脱可能に挿入される中空の穴を有する導電部材と、前記導電部材の一端に配し導電部材を中心導体とし平面回路のグランドと導通した筐体を外部導体とした同軸型線路を形成する絶縁部材と、前記筐体にネジ組立される同軸型伝送線路の外部導体と導通したフランジとで構成した接続構造体。
【請求項５】
導電部材は、平面回路の信号伝送線路にハンダ付けした構成からなる請求項１または４に記載の接続構造体。
【請求項６】
同軸型伝送線路の中心導体は導電部材に少なくとも２ｍｍ以上挿入されるように構成した請求項１または４に記載の接続構造体。
【請求項７】
同軸型伝送線路に設けたフランジの面と平面回路を収納する筐体面とは、互いに嵌め合わされる凹凸部を設けた請求項１または４に記載の接続構造体。
【請求項８】
同軸型伝送線路に設けたフランジの面と平面回路を収納する筐体面との間に弾性を有する導電性ガスケットを介在させた請求項７に記載の接続構造体。
【発明の詳細な説明】
【技術分野】
【０００１】
本発明は、筐体内に収納された高周波回路を形成する平面回路と同軸型伝送線路との接続部における接続構造体に関する。
【背景技術】
【０００２】
従来この種の接続構造体は、平面回路を収納した筐体の入力部あるいは出力部に同軸型コネクタ（一般にリセプタクルと称されている）が実装されている。このリセプタクルはその中心導体が筐体内の平面回路に接続され、その外部導体が筐体と導通するように筐体に実装組立されている。
【０００３】
そして、筐体の入力部に信号を入力したり、出力部から信号を取り出す同軸型伝送線路の一端には筐体の入力部あるいは出力部に実装したリ、セプタクルと嵌め合わされる同軸コネクタが実装されたりしている。そして、リセプタクルと同軸型伝送線路に実装された同軸コネクタとは、それぞれの外部導体に形成されたオスメスのネジ部を嵌め合わせて回転締め付けすることで双方が接続固定される構成となっている。
【０００４】
同軸型伝送線路を平面回路に着脱自在に接続させる構成として、平面回路基板を上下からバネの力で挟み込み同軸型伝送線路の一端に実装した同軸コネクタを平面回路に支持させる固定機構を備えたものがある（例えば、特許文献１参照）。
【０００５】
また、レセプタクルとの装着および着脱が容易な構造体としたものとして、弾性的に接触しつつ接続させる軸方向に移動可能なスリーブを設けた構成が提案されている（例えば、特許文献２参照）。
【先行技術文献】
【特許文献】
【０００６】
【特許文献１】特開平０７−２６３９２１号公報
【特許文献２】国際公開第２００７／０８０６６３号
【発明の概要】
【発明が解決しようとする課題】
【０００７】
しかしながら、前記従来の接続構造体は、特許文献１においては、平面回路を筐体内に内蔵させる構成には適用ができないし、ワットオーダーの大電力の伝送では発熱を生じる課題がある。
【０００８】
また、特許文献２のものは、従来のオスメスのネジ嵌め合いによる回転締め付けに対して接続の簡便さを提供しているが、地震などの筐体全体の振動に対して弾性部の接続状態の維持の信頼性あるいは、弾性部材の長期的弾性力の保持に関して確実な保証が困難な課題を有する。
【０００９】
本発明は、前記従来の課題を解決するもので、オスメスのネジ嵌め合いによる回転締め付けを行うことなく、同軸型伝送線路の着脱を容易に実行でき、かつ大電力伝送に対応した長期的接続の信頼性を確保できる新規な接続構造体を提供することを目的とする。
【課題を解決するための手段】
【００１０】
前記従来の課題を解決するために、本発明の接続構造体は、筐体内に収納された平面回路と同軸型伝送線路との接続構造において、平面回路の信号伝送線路の端部に前記信号伝
送線路と導通固定され前記同軸型伝送線路の中心導体が着脱可能に挿入される導電部材を配設し、同軸型伝送線路の外部導体と導通するフランジを平面回路のグランドと導通した筐体にネジ組立する構成としている。
【００１１】
これにより、平面回路側には導電部材のみを実装する簡便な構造とでき、また同軸型伝送線路の中心導体を導電部材に挿入させた後、同軸型伝送線路のフランジを筐体にネジ組立することで、オスメスのネジ嵌め合いによる回転締め付けを行うことなく、接続部の耐震性と耐久性を確保できるとともに安価な接続構造体を提供できる。
【発明の効果】
【００１２】
本発明の接続構造体は、筐体内に収納された平面回路と同軸型伝送線路との接続構造において、平面回路の信号伝送線路の端部に前記信号伝送線路と導通固定され前記同軸型伝送線路の中心導体が着脱可能に挿入される導電部材を配設し、同軸型伝送線路の外部導体と導通するフランジを平面回路のグランドと導通した筐体にネジ組立する構成としたものである。
【００１３】
これにより、オスメスのネジ嵌め合いによる回転締め付けを行うことなく、同軸型伝送線路の着脱を容易に実行でき、かつ大電力伝送に対応する接続部の信頼性を確保できる。
【図面の簡単な説明】
【００１４】
【図１】本発明の第一の実施の形態に関わる接続構造体の断面構成図
【図２】図１の平面回路を内蔵する筐体側の概略斜視図
【図３】図１の筐体内平面回路に接続される導電部材の概略斜視図
【図４】図１の同軸型伝送線路に実装されたフランジの概略斜視図
【図５】本発明の第二の実施の形態に関わる接続構造体の断面構成図
【図６】図５の筐体内平面回路に接続される導電部材の概略斜視図
【図７】図５の同軸型伝送線路に実装されたフランジの概略斜視図
【図８】本発明の第三の実施の形態に関わる接続構造体の断面構成図
【図９】図８の同軸型伝送線路に実装されたフランジの概略斜視図
【発明を実施するための形態】
【００１５】
第１の発明は、筐体内に収納された平面回路と同軸型伝送線路との接続構造において、平面回路の信号伝送線路の端部に前記信号伝送線路と導通固定され前記同軸型伝送線路の中心導体が着脱可能に挿入される導電部材を配設し、同軸型伝送線路の外部導体と導通するフランジを筐体にネジ組立する構成としたものである。
【００１６】
本発明によれば、平面回路側には導電部材のみを実装する簡便な構造とでき、また同軸型伝送線路の中心導体を導電部材に挿入させた後、同軸型伝送線路のフランジを筐体にネジ組立することで、オスメスのネジ嵌め合いによる回転締め付けを行うことなく、接続部の耐震性と耐久性を確保できるとともに安価な接続構造体を提供できる。
【００１７】
第２の発明は、特に第１の発明において、導電部材は、平板部と中空形状部とを有し、中空形状部は平板を丸めて中空形状に加工したものである。本発明によれば、接続される同軸型伝送線路の中心導体の外径に応じた中空形状を簡便に製造することができる。また、同軸型伝送線路の中心導体の外径が大きい方向にばらついても中空形状が拡がって中心導体の挿入を許容させることができる。
【００１８】
第３の発明は、特に第１の発明において、導電部材に挿入される同軸型伝送線路の中心導体の一部は平面回路の信号伝送線路上に存在するように導電部材を平面回路に導通固定したものである。本発明によれば、導電部材のすべてを信号伝送線路上に配置させる構成
が採れ、導電部材と信号伝送線路との接続強度を維持させることができる。また、平面回路を収納する筐体を薄板で構成した筐体構造に適用することができる。
【００１９】
第４の発明は、筐体内に収納された平面回路と同軸型伝送線路との接続構造において、平面回路の信号伝送線路に導電接続され前記同軸型伝送線路の中心導体が着脱可能に挿入される中空の穴を有する導電部材と、前記導電部材の一端に配し導電部材を中心導体とし平面回路のグランドと導通した筐体を外部導体とした同軸型線路を形成する絶縁部材と、前記筐体にネジ組立される同軸型伝送線路の外部導体と導通したフランジとで構成したものである。
【００２０】
本発明によれば、中空穴を有する導電部材を一端は平面回路の信号伝送線路に導通接続固定し、他端は絶縁部材を介して筐体に支持固定させることで、同軸型伝送線路の着脱に伴って導電部材にかかる機械応力に対応した信頼性の高い導電部材の固定構造を提供できる。
【００２１】
第５の発明は、特に第１または第４の発明において、導電部材は、平面回路の信号伝送線路にハンダ付けした構成からなるものである。本発明によれば、導電部材と信号伝送線路との導電接続および導電部材の支持固定を確実に実施できる。
【００２２】
第６の発明は、特に第１または第４の発明において、同軸型伝送線路の中心導体は導電部材に少なくとも２ｍｍ以上挿入されるように構成したものである。本発明によれば、平面回路の信号伝送線路の信号をインピーダンス整合状態を保って確実に同軸型伝送線路の中心導体に伝送させることができる。
【００２３】
第７の発明は、特に第１または第４の発明において、同軸型伝送線路に設けたフランジの面と平面回路を収納する筐体面とは、互いに嵌め合わされる凹凸部を設けたものである。本発明によれば、導電部材の中空部へ同軸型伝送線路の中心導体を確実に挿入させることができるとともに挿入されていることをフランジ面と筐体面との接合状態で判別することができる。
【００２４】
第８の発明は、特に第７の発明において、同軸型伝送線路に設けたフランジの面と平面回路を収納する筐体面との間に弾性を有する導電性ガスケットを介在させたものである。本発明によれば、フランジ面と筐体面との面接合を確実に実行でき、同軸型伝送線路としての作用を保証維持させることができる。
【００２５】
以下、本発明の実施の形態について、図面を参照しながら説明する。尚、実施の形態によって本発明が限定されるものではない。
【００２６】
（実施の形態１）
図１は本発明の実施の形態１に関わる接続構造体の断面構成図、図２は、図１の平面回路を内蔵する筐体側の概略斜視図、図３は図１の筐体内平面回路に接続される導電部材の構成図、図４は図１の同軸型伝送線路に実装されたフランジの構成図である。
【００２７】
図１〜図４において、両面銅箔プリント基板１０の片面にエッチング処理により所定の形状でもって平面回路１１が形成されている。両面銅箔プリント基板１０の裏面は、全面銅箔が貼られておりアルミ材の基台１２の上にネジ組立などにより密接実装されている。
【００２８】
平面回路１１は、たとえば増幅回路の入力および出力の整合回路であったり、多段増幅回路にあっては各段の増幅回路を接続する信号伝送線路であったりする。
【００２９】
そして、筐体１３内に収納された平面回路１１の入力部あるいは出力部には信号伝送線路１１ａが形成されている。この信号伝送線路１１ａと信号伝送するために同軸型伝送線路１４が接続される。
【００３０】
この信号伝送にあたり、本発明の第一の実施の形態では、平面回路の信号伝送線路１１ａの一端に同軸型伝送線路１４の中心導体１４ａが着脱可能に挿入される中空形状を有する導電部材１５を配設している。この導電部材１５は、平板部１５ａと中空形状部１５ｂとを有し、中空形状部１５ｂは平板を丸めて加工している。
【００３１】
したがって、中空形状部１５ｂは、完全な中空ではなく、上部にスリットが入った形状としている。また、中空形状部１５ｂの中心導体１４ａの挿入側は中空入口の内面をコーナーカットし中心導体１４ａの挿入を中空の中央に導く加工を施している。
【００３２】
この導電部材１５のすべては、平面回路の信号伝送線路１１ａ上に配置し、平板部１５ａを信号伝送線路１１ａにハンダ付け１６している。このハンダ付けにあたり、平板部１５ａに穴１５ｃを設け（図３参照）、平板部１５ａと信号伝送線路１１ａとのハンダ接合領域を大きくすることで導電部材１５を信号伝送線路１１ａに確実強固に導電接続固定させることができる。
【００３３】
また、平面回路１１を収納する筐体１３は、金属薄板を用いて構成している。より詳細には、図２に示すように筐体１３は、同軸型伝送線路が接続される筐体側板１３ａと筐体カバー１３ｂとで構成している。筐体カバー１３ｂは平面回路１１の上方および筐体側板１３ａが存在しない側面を一体構造にて覆う構成している。
【００３４】
そして、筐体側板１３ａは平面回路１１の基台１２の側面にネジ組立され、筐体カバー１３ｂは筐体側板１３ａおよび基台１２の上面とネジ組立される構成により、平面回路１１を電磁波シールドする構造体として作用させている。
【００３５】
なお、筐体側板１３ａには筐体１３内の平面回路と接続された能動デバイスに電力を供給する電力供給線（図示していない）を配設する。
【００３６】
次に、図４を用いて本発明の第一の実施の形態の導電部材１５と接続する同軸型伝送線路１４の構造について説明する。
【００３７】
同軸型伝送線路１４は同軸伝送線路の外部導体と導通させたフランジ１４ｂを有する。フランジ１４ｂと外部導体との導通は、ハンダ付け１７（図１参照）としている。このフランジ１４ｂは、肉厚の金属材料で構成し、その略中央部に同軸伝送線路の絶縁部材１４ｃを嵌め合い貫通させる穴１４１、その穴１４１を中心として周囲を円形座ぐり加工した凹部１４２を配する。
【００３８】
また、筐体側板１３ａにネジ組立することに対応した４個の穴１４３〜１４６、穴１４３〜１４６を中心としてそれぞれ周囲を円形座ぐり加工した凹部１４７〜１５０を配する。円形座ぐり凹部１４２および１４７〜１５０の座ぐり深さは同等としている。
【００３９】
同軸型伝送線路１４の中心導体１４ａは、円形座ぐり凹部１４２の面から所定長の突出させた絶縁部材１４ｃの端面からさらに所定長さ突出させ、先端を円錐台状あるいは球面状に尖らせている。中心導体１４ａの突出長は、導電部材１５の中空部に少なくとも２ｍｍ以上挿入させる長さとしている。
【００４０】
一方、この同軸型伝送線路１４が接続実装される筐体側板１３ａには、同軸型伝送線路
のフランジ１４ｂに設けた円形座ぐり凹部１４２および１４７〜１５０に対応しこの座ぐり凹部に嵌めあわされる凸状の絞り部１３１〜１３５を設けている。
【００４１】
凸状の絞り部１３１が円形座ぐり凹部１４２に嵌めあわされる。筐体側板１３ａは薄板であるが凸状絞り部の形成によって肉厚になり、凸状の絞り部１３１は同軸型伝送線路の絶縁部材１４ｃを同心上に支持する。
【００４２】
また、凸状の絞り部１３２〜１３５にはネジ部を加工してフランジ１４ｂを筐体側板１３ａにネジ組立することができる。この凹凸の嵌め合い構造により、薄板で構成した筐体側板１３ａの機械的強度を高めている。
【００４３】
また、この凹凸の嵌め合い構造によりフランジ１４ｂと筐体側板１３ａとの隙間は電磁波シールドされ、平面回路の信号伝送線路１１ａを伝送する信号を不要輻射させることなく、確実に同軸型伝送線路１４に信号を伝送させることができる。
【００４４】
そして、平面回路側には導電部材１５のみを実装する簡便な構造とでき、また同軸型伝送線路１４の中心導体１４ａを導電部材１５に挿入させた後、同軸型伝送線路のフランジ１４ｂを筐体１３にネジ組立することで、オスメスのネジ嵌め合いによる回転締め付けを行うことなく、接続部の耐震性と耐久性を確保できるとともに安価な接続構造体を提供できる。
【００４５】
また、導電部材１５に設けた中空形状部１５ｂは平板を丸めて中空形状に加工したことで、スリットを有する構造体となり、接続される同軸型伝送線路の中心導体１４ａの外径に応じた中空形状を簡便に製造することができる。
【００４６】
また、同軸型伝送線路１４の中心導体１４ａの外径が大きい方向にばらついても中空形状が拡がって中心導体の挿入を許容させることができる。
【００４７】
また、導電部材１５のすべてを信号伝送線路上に配置させる構成により、導電部材１５と信号伝送線路１１ａとの接続強度を維持させることができる。また、平面回路を収納する筐体を薄板で構成した筐体構造に適用することができる。
【００４８】
（実施の形態２）
図５は本発明の実施の形態２に関わる接続構造体の断面構成図、図６は、図５の筐体内平面回路に接続される導電部材の構成図、図７は図５の同軸型伝送線路に実装されたフランジの構成図である。
【００４９】
本実施の形態が実施の形態１と相違する点は、導電部材の一端に絶縁部材を配し絶縁部材を介して筐体に支持固定する構成とそれに対応した同軸型伝送線路のフランジ構成である。
【００５０】
すなわち、図５〜図７において、一端に同軸型伝送線路２４の中心導体２４ａを着脱挿入できる中空形状を有する導電部材２０は、他端側が平板部２０ａとし、平面回路１１の信号伝送線路１１ａにハンダ付け１６にて接続される。また導電部材２０の中空形状部２０ｂ側には、中空形状と同心状になるように絶縁部材２０ｃを設けている。この絶縁部材２０ｃに導電部材の中空形状部２０ｂが嵌めあい挿入組立される。
【００５１】
また、絶縁部材２０ｃは、筐体２３の筐体側板２３ａに施した凸状の絞り部２３１に嵌め合い挿入される。そして総合的に絶縁部材２０ｃを介して導電部材２０の一端が筐体側板２３ａに支持される。
【００５２】
この導電部材２０は、平板部２０ａと中空形状部２０ｂとを有し、中空形状部２０ｂは平板を丸めて加工している。また、中空形状部２０ｂの中心導体２４ａの挿入側は中空入口の内面をコーナーカットし中心導体２４ａの挿入を中空の中央に導く加工を施している。
【００５３】
また、平板部２０ａに穴２０ｄを設け（図６参照）、平板部２０ａと信号伝送線路１１ａとのハンダ接合領域を大きくすることで導電部材２０を信号伝送線路１１ａに確実強固に導電接続固定させることができる。
【００５４】
次に、図７を用いて本実施の形態の導電部材２０と接続する同軸型伝送線路２４の構造について説明する。
【００５５】
同軸型伝送線路２４は同軸伝送線路の外部導体と導通させたフランジ２４ｂを有する。このフランジ２４ｂは、肉厚の金属材料で構成し、その略中央部に同軸伝送線路の絶縁部材２４ｃを嵌め合い貫通させる穴２４１、その穴２４１を中心として周囲を円形座ぐり加工した凹部２４２を配する。
【００５６】
また、筐体側板２３ａにネジ組立することに対応した４個の穴２４３〜２４６、穴２４３〜２４６を中心としてそれぞれ周囲を円形座ぐり加工した凹部２４７〜２５０を配する。円形座ぐり凹部２４２および２４７〜２５０の座ぐり深さは同等としている。
【００５７】
同軸型伝送線路２４の絶縁部材２４ｃの一端は、フランジ２４ｂの略中央に設けた円形座ぐり凹部２４２の凹部底と同一面とし、円形座ぐり凹部２４２には同軸型伝送線路２４の中心導体２４ａのみを所定長さだけ突出させ、その先端を尖らせている。中心導体２４ａの突出長は、導電部材２０の中空形状部２０ｂに少なくとも２ｍｍ以上挿入できる長さとしている。
【００５８】
一方、この同軸型伝送線路２４が接続実装される筐体側板２３ａには、同軸型伝送線路のフランジ２４ｂに設けた円形座ぐり凹部２４２および２４７〜２５０に対応しこの座ぐり凹部に嵌め合わされる凸状の絞り部２３１、２３２、２３３（他の２個の絞り部は図示していない）を設けている。
【００５９】
凸状の絞り部２３１が円形座ぐり凹部２４２に嵌めあわされる。筐体側板２３ａは薄板であるが凸状絞り部の形成によって肉厚になり、凸状の絞り部２３１は導電部材２０の絶縁部材２０ｃを同心状に支持する。
【００６０】
また、凸状の絞り部２３２、２３３にはネジ部を加工してフランジ２４ｂを筐体側板２３ａにネジ組立することができる。この凹凸の嵌め合い構造により、薄板で構成した筐体側板２３ａの機械的強度を高めている。
【００６１】
また、この凹凸の嵌め合い構造によりフランジ２４ｂと筐体側板２３ａとの隙間は電磁波シールドされ、平面回路の信号伝送線路１１ａを伝送する信号を不要輻射させることなく、確実に同軸型伝送線路２４に信号を伝送させることができる。
【００６２】
本実施の形態による同軸型伝送線路のフランジ２４ｂは、同軸型伝送線路の絶縁部材２４ｃの突出をなくした構造であり、同軸型伝送線路の中心導体２４ａのみが突出した構造であり、中心導体２４ａを筐体側の導電部材の中空形状部２０ｂに嵌めあわせることで、すべての凹凸部も嵌め合わされネジ組立することができる。
【００６３】
（実施の形態３）
図８は本発明の実施の形態３に関わる接続構造体の断面構成図、図９は、図８の同軸型伝送線路に実装されたフランジの構成図である。
【００６４】
実施の形態３が実施の形態２と相違する点は、筐体側板と同軸型伝送線路のフランジとの接合に弾性を有する金属ガスケットを介在させた構成にある。
【００６５】
すなわち図８〜図９において、一端に同軸型伝送線路３４の中心導体３４ａを着脱挿入できる中空形状を有する導電部材２０およびその周辺部材の構成は実施の形態２と同一であり詳細な説明は省略する。
【００６６】
まず、図９を用いて本実施の形態の導電部材２０と接続する同軸型伝送線路３４の構造について説明する。同軸型伝送線路３４は同軸伝送線路の外部導体と導通させたフランジ３４ｂを有する。このフランジ３４ｂは、肉厚の金属材料で構成し、その略中央部に同軸伝送線路の絶縁部材３４ｃを嵌め合い貫通させる穴３４１を配する。
【００６７】
また、筐体側板２３ａ（図８参照）にネジ組立することに対応した４個の穴３４２〜３４５を配する。すなわち、フランジ３４ｂの筐体側板２３ａと対峙する面は凹部を有さずフラットな面にて構成している。
【００６８】
同軸型伝送線路３４の絶縁部材３４ｃの一端は、フランジ３４ｂのフラット面と同一面とし、このフラット面から同軸型伝送線路３４の中心導体３４ａのみを所定長さだけ突出させ、その先端は尖らせた加工を施している。中心導体３４ａの突出長は、導電部材２０の中空部に少なくとも２ｍｍ以上挿入させる長さとしている。
【００６９】
一方、この同軸型伝送線路３４が接続実装される筐体側板２３ａには、導電部材２０を絶縁部材２０ｃ（図６参照）を介して固定支持する凸状絞り部２３１と、凸状絞り部２３１と同心状にリング形状の弾性を有する金属ガスケット３１を配設している（図８参照）。
【００７０】
そして、同軸型伝送線路のフランジ３４ｂを筐体側板２３ａに組立取付した時に、この金属ガスケット３１が押圧される弾性厚さを有する構造体としている。この金属ガスケット３１によりフランジ３４ｂと筐体側板２３ａとの隙間は電磁波シールドされ、平面回路の信号伝送線路１１ａを伝送する信号を不要輻射させることなく、確実に同軸型伝送線路３４に信号を伝送させることができる。
【００７１】
本実施の形態による同軸型伝送線路のフランジ３４ｂは、同軸型伝送線路の絶縁部材３４ｃの突出をなくすとともに筐体側板２３ａに対峙するフランジ３４ｂの面をフラット構造にしたものであり、同軸型伝送線路のフランジ構成の簡便化を図ることができる。
【００７２】
なお、上述した実施の形態において、中空形状の内径とそれに挿入する同軸型伝送線路の中心導体の外径との関係について詳述していないが、挿入長さを、たとえば５ｍｍ程度と、長くすることで、中心導体が中空形状部の内壁に非接触であっても、容量結合により信号を低損失で伝送させることができる。したがって、筐体内にゆとり空間が採れる場合は、信号伝送線路上に長い中空形状部を有する導電部材を配置させることができる。
【００７３】
また、本発明の接続構造体は、薄板構成の筐体に対して、特に有効性を発揮させることができる。
【産業上の利用可能性】
【００７４】
以上のように本発明にかかる接続構造体は、筐体内に収納された平面回路と同軸型伝送線路との接続構造において、平面回路の信号伝送線路の端部に前記信号伝送線路と導通固定され前記同軸型伝送線路の中心導体が着脱可能に挿入される導電部材を配設し、同軸型伝送線路の外部導体と導通するフランジを筐体にネジ組立する構成としたものであり、高周波発振器、高周波増幅器と他の機器との接続、たとえば検査用同軸ケーブル接続、あるいはアンテナ接続に利用できる。
【符号の説明】
【００７５】
１１  平面回路
１１ａ  信号伝送線路
１３、２３  筐体
１３ａ、２３ａ  筐体側板
１４、２４、３４  同軸型伝送線路
１４ａ、２４ａ、３４ａ  中心導体
１４ｂ、２４ｂ、３４ｂ  フランジ
１４ｃ、２０ｃ、２４ｃ、３４ｃ  絶縁部材
１５、２０  導電部材
１５ａ、２０ａ  平板部
１５ｂ、２０ｂ  中空形状部
２０ｃ  絶縁部材
３１  金属ガスケット
１３１〜１３５、２３１〜２３３  絞り部
１４２、１４７〜１５０、２４２、２４７〜２５０  凹部
１４３〜１４６、２４３〜２４６、３４２〜３４５  ネジ組立穴
【図１】
2012109651.tif 000003
【図２】
2012109651.tif 000004
【図３】
2012109651.tif 000005
【図４】
2012109651.tif 000006
【図５】
2012109651.tif 000007
【図６】
2012109651.tif 000008
【図７】
2012109651.tif 000009
【図８】
2012109651.tif 000010
【図９】
2012109651.tif 000011